(57)【要約】      （修正有）【課題】蛇腹状樹脂ボトルにもっとも適した樹脂とその蛇腹形状の利点を活かす構造を提供する。【解決手段】上端部の飲み口部３の縦幅を除いて、縦方向の一部或いは全部が水平方向の蛇腹状となっているＰＥＴ樹脂ボトル本体にあって、反復その縦幅(高さ)を縮小させてなることに耐えうる形状とその製造にもっとも適したテレフタル酸ジメチル又はテレフタル酸とエチレングリコールを反応させて得られるポリエステルを用いる。【選択図】図４
2006051718.tif 000002
【特許請求の範囲】
【請求項１】
テレフタル酸ジメチル又はテレフタル酸とエチレングリコールを反応させて得られるポリエステルを用いプリフォームを製造する工程と、
このプリフォームを一対の金型内に誘導し流体を送り膨らませる工程と、
上端部の飲み口部と該飲み口部の高さ方向の幅と、底部の高さ方向の幅とを除いて高さ方向の一部或いは全部が水平方向の蛇腹状となっている樹脂ボトル本体を成型加工する工程と、
よりなりこの成型された樹脂ボトル本体を縦方向に圧縮させ、上記樹脂ボトル本体の蛇腹状部分がその長手方向の一方或いは両方から樹脂ボトル本体の中心方向に押し圧された際、上記蛇腹状部分が重なりあい潰された状態を保つことができるようになしたことを特徴とする高さ方向に伸縮可能な樹脂ボトルの製造方法。
【発明の詳細な説明】
【技術分野】
【０００１】
本発明は主にプリフォームを用いた、一般的には樹脂ブローなどと呼ばれているブロー成形方法を用いて、ジュースやミネラルウォーターの容器を造形するものであり、特に内容物が充填されているときと、空のときでは高さが異なる樹脂ボトルの製造方法に関する。
【背景技術】
【０００２】
合成樹脂ボトルの生産量は、近年膨大なものになっている。
【０００３】
合成樹脂製ボトルはその利便さから使用消費が増え続けて、膨大なボトルのごみ処理は近年大きな社会問題となっている。一方合成樹脂製ボトル製造工場からジュースなどを充填する工場まで樹脂製ボトルを搬送するに当たってはまるで空気を搬送するかのごとく広いスペースが必要であり無駄な物流コストがかかった。
【０００４】
また、合成樹脂製ボトルを圧縮可能な形状にしたものはあった（特許文献１参照）がそれは、ミネラルウオーターなどの飲料水を充填する前の樹脂製ボトルの搬送において嵩み、それはまるで空気を運んでいるのと同様で多くの樹脂製ボトルを搬送することができるのである。さらに従来のこの種の蛇腹状合成樹脂ボトルは、激しい振動を伴う自動車やその他の搬送手段や、店頭での積み重ね展示の際の、振動に対応できる強度が未だ充分とは言えないものがあった。また、使用済みになる前に複数回の圧縮伸展を繰り返した場合にも復元力と強度が未だ充分とはいえなかった。（特許文献２参照）
【０００５】
また、従来これらの材料にはポリオレフィン系合成樹脂を基本層としてナイロン、エチレンビニルアルコールコポリマー、ポリ塩化ビニリデンなどの樹脂を積層し、多層となし、蛇腹形状としたものやポリ塩化ビニル樹脂（ＰＶＣ）、ポリエチレンを単層として蛇腹形状した合成樹脂製ボトルなど種々みられた。しかしながらいずれもその強度やコスト等の点で問題が多かった
【０００６】
つまり蛇腹形状となったボトル容器の利点を活かし、かつ上述の問題点をすべてクリアーするには従来の蛇腹状合成樹脂製ボトルの材料とその形状に工夫が必要であった。
【特許文献１】実開平５−４６７５２（要約書）
【特許文献２】実開昭５５−１５６０３１（要約書）
【発明の開示】
【発明が解決しようとする課題】
【０００７】
そこで本願発明者は蛇腹状合成樹脂ボトルにもっとも適した材料と形状を創意研究した結果、遂に蛇腹状ボトルとしての最適な製造方法を提唱できその液体容器を提供できたのである。
【０００８】
この結果いずれも上記目的即ち、蛇腹状合成樹脂ボトル本体を押し潰した際その高さ，及び容器をより縮小させ、その状態を保たせるに充分対処できたのである。
【０００９】
いいかえれば本発明の主な目的は、合成樹脂ボトル本体内に内容物が充填されているときに比し、実質的にその縦幅（高さ）を複数回の圧縮及び伸展が可能なＰＥＴ樹脂製の蛇腹状合成樹脂ボトル（以下ＰＥＴ樹脂ボトルという）を製造する方法を提唱することにある。
【課題を解決するための手段】
【００１０】
本発明はＰＥＴ樹脂（ポリエチレンテレフタレートポリマー）はテレフタル酸ジメチル又はテレフタル酸とエチレングリコールを反応させて得られるポリエステルの一種であり、手軽な手段で単層ブロー成形をしてボトルを製造できる点に注目している。
【００１１】
またこの樹脂を用いボトル本体を成型する金型は、上記ＰＥＴ樹脂ボトル本体を多量に製造するのに最適で、しかも蛇腹部分及び各蛇腹を構成する各襞の形成が確実でその結果、当該ＰＥＴ樹脂ボトル本体を潰したとき、その潰された状態を保つことができるようにしたＰＥＴ樹脂ボトルとその製造方法を提唱することができたのである。
【００１２】
而して本発明の特徴は、上端部の飲み口部の縦幅を除いて、縦方向の一部或いは全部が水平方向の蛇腹状となっているＰＥＴ樹脂ボトル本体にあって、その製造過程にあっては内容物が充填されている時の縦幅(高さ、容積)より実質的に低い状態で成型されたＰＥＴ樹脂ボトルを製造する方法を提供できたことである。
【００１３】
この結果このＰＥＴ樹脂ボトル本体に所謂「飲み残し」が生じた場合でも、これをハンドバックのような鞄に入れて携帯することが可能となり、かつ飲み終えて破棄する場合はこれを押し潰して、その容量、高さを頗る縮小させてからゴミ箱などに捨てられるＰＥＴ樹脂ボトルを提供できたことである。
【００１４】
総じて本発明の特徴はテレフタル酸ジメチル又はテレフタル酸とエチレングリコールを反応させて得られるポリエステルを用いプリフォームを製造する工程と、このプリフォームを一対の金型内に誘導し流体を送り膨らませる工程と、上端部の飲み口部と該飲み口部の高さ方向の幅と、底部の高さ方向の幅とを除いて高さ方向の一部或いは全部が水平方向の蛇腹状となっている樹脂ボトル本体を成型加工する工程よりなる手段があることである。
【００１５】
なお、上記のボトル本体は、上端部の飲み口部と、該飲み口部の高さ方向の幅と、底部の高さ方向の幅とを除いて高さ方向の一部或いは全部が水平方向の蛇腹状となっているＰＥＴ樹脂ボトル本体を成型加工する工程がありこの成型されたＰＥＴボトル本体を縦方向に圧縮させ、上記ＰＥＴ樹脂ボトル本体の蛇腹状部分がその長手方向の一方或いは両方からＰＥＴ樹脂ボトル本体の中心方向に押し圧された際、上記蛇腹状部分が重なり合う潰された状態を保つことができるようになしたＰＥＴ樹脂ボトルの製造手段にあって、該蛇腹状を構成する各部の肉厚が同山部の肉厚との比較に於て、厚く造型したことがその実施の態様である。
【００１６】
即ち該ボトル本体を圧潰させる際などに高さ方向から押すと先ず、その肉厚の薄い山部が押され襞の上面と下面が重なり合う方向に移動する。さらに継続して高さ方向からの力が加える結果、その力は徐々に谷部方向に移行し緩和されるものであり、この肉厚の厚い谷部の存在でＰＥＴ樹脂ボトル本体の全体は、複数回の圧縮伸展に亘る高さ方向の伸縮作用でも、襞の一部が破れたり損傷して内容物が洩出するような不祥事の発生を未然に防止できる成果がある。
【００１７】
この場合上記蛇腹を構成する襞の谷部の肉厚は実質的に０.４乃至０.５ｍｍが好しく山部の肉厚は０.２乃至０.３５ｍｍが好ましい、それは、この範疇以外であると、ボトル本体の伸縮作用が充分でなく、かつ縮んだ状態を保つことなく復元力が働いて元の状態となる虞れがあること、その他なによりも度々の伸縮作用では山部、あるいは谷部に損傷部分が発生する虞れがあるためである。
【００１８】
また他の実施の態様としては発明を実施するに当って、ボトル本体を圧縮させる手段としては、ＰＥＴ樹脂ボトル本体を縦方向に圧縮させる機械的機構を用いてもよい。
【００１９】
他に上記ＰＥＴ樹脂ボトル本体を成型加工する他の実施の態様として上記その金型内にプリフォームを自動的に供給し、約４０キロの高圧エアーで蛇腹状のＰＥＴ樹脂ボトル本体を成型することであり、欺くなすことによって本発明ＰＥＴ樹脂ボトル本体を成型工場から内容物の充填工場に搬送する際及び、かかる充填工場で再び引き伸し、その容積を拡大する作業さらには内容物を飲み干し、その分だけ容積を縮小する動作、そして完全に押し潰して捨てる作業の伸縮作動にあっても、当該ＰＥＴ樹脂ボトルにヒビが入ったり、破れたり折れ曲ったりするような虞れのないＰＥＴ樹脂ボトルを製造し得たのである。
【００２０】
なお本発明にはその他に優れた発明の目的、特徴、作用効果を有するが、これらは以下の実施例の説明で明らかにする。
【発明の効果】
【００２１】
総して本発明の効果は上端部の飲み口部と、底部の小さい高さ方向の幅と、この飲み口部と高さ方向の幅とを除いて長手方向の全部或いは一部が水平方向の蛇腹状となしＰＥＴ樹脂ボトル本体に、該ＰＥＴ樹脂ボトル本体内のジュースやミネラルウォーターを飲み干して、該ＰＥＴ樹脂ボトル本体を破棄する時、その容積を頗る小さくすることが出来る容器を簡単に大量に製造できるようにしたことである。
【実施例】
【００２２】
次に本発明の一実施例を述べると、先ずこの実施例ではテレフタル酸ジメチル又はテレフタル酸とエチレングリコールを反応させて得られるポリエステルを用いプリフォームを製造する一般的にＰＥＴ樹脂ボトルはＰＥＴ樹脂を二軸延伸ブロー成形法にて製産されるが、先ずプリフォーム（パリソン）と呼ばれる試験管状の成形品を射出成形を作り、これをブローにてボトルを成形するときに所謂「延伸」がかけられ外観の良い強いボトルが得られる。これを同一の機械で行うか、別々の機械でやるかによって「２段法（コールドパリソン法）」、「１段法（ホットパリソン）」法の違いがある。本発明はこのいずれの方法でも良い。
【００２３】
而して図１１で（ａ）は、本発明ＰＥＴ樹脂ボトル本体（１）を造形する以前に続いて図１に示すようにこのプリフォーム（ａ）を金型（ｂ）内に挿入する。このときのプリフォーム（ａ）の厚さ（Ｖ）は２.０３ｍｍのものを用いた。
【００２４】
而してＰＥＴ樹脂ボトルを造形するに当り一般的に金型内のプリフォーム（ａ）の外側は、その内側に比べて温度が高い。これはプリフォーム（ａ）を再加熱する工程においてその外側に設置されたヒーターにより過熱するためでもある。
【００２５】
続いてブロー成型の時膨んだプリフォーム（ａ）は、先ずペット本体（１）の金型の谷部（Ｐ）を造形する金型の山部に接するようにするため、その肉厚が厚く(多く)なり逆にペット本体（１）の山部（Ｑ）は、比較的遠くなるので肉厚が薄くなるように造形できるのである。
【００２６】
次に図１は該プリフォームをブロー成形する概略図をあらわす。すなわち射出成形された（図略）ＰＥＴ樹脂プリフォームを金型（ｂ）内でブロー成形し蛇腹状ＰＥＴ樹脂ボトルを得る。これを圧縮成形機（ｃ）内に移し圧縮することにより圧縮形状の蛇腹蛇腹状ＰＥＴ樹脂ボトルを得るのである。
【００２７】
即ち図５で（１）はＰＥＴ樹脂ボトル本体で、上端部の飲み口部を除いたその高さ（長さ）方向の外周と内周は蛇腹状（２）となっている。
【００２８】
図６では上記ＰＥＴ樹脂ボトル本体（１）内の、内容液を一部飲み干してから高さ（長さ）方向にその一方からあるいは両方から一部押し潰した状態を示した。図６はさらに押しつぶした状態で内容液を全部飲み干したか、あるいは未だ充填していない時の状態である。
【００２９】
即ち本発明はこのようなＰＥＴ樹脂ボトル本体（１）を押し潰した状態とするため及び潰れた状態を保つため秀れた構成を有し、秀れた作用を発揮するのである。
【００３０】
そのＰＥＴ樹脂ボトル本体（１）の構成の一例として図５で示したように（３）は飲み口部であり、それは直径約２８ｍｍ，高さ２３ｍｍ程度で、その直下方は下方が直径約５１ｍｍに拡大された高さ５〜１０ｍｍの喇叭状連結部（５）が、飲み口部（３）の軸線上に接続されている。
【００３１】
上記ＰＥＴ樹脂ボトル本体（１）の肩部（C）には、その内端が水平な『U』字状の環状溝（６）があり、上記喇叭状連結部（５）の末端と環状溝（６）の内側の辺とは連結している。
【００３２】
またＵ字形状の溝（６）の外側の辺は下方に向う割球状（４）となっており、第１段の蛇腹状（２Ａ）の外径（ｄ１）、即ち上記蛇腹状（２）の最上段の外径（ｄ１）は、ＰＥＴ樹脂ボトル本体（１）の外径（ｄ）より小さい径とする。
【００３３】
続いて第１段の蛇腹状（２Ａ）に対し第２段の蛇腹状（２Ｂ）の外径（ｄ２）は、上記第１段の蛇腹状（２Ａ）の外径（ｄ１）より大きくＰＥＴ樹脂ボトル本体（１）の外径（ｄ）より小さい。
【００３４】
さらにこれと連なりかつ上記第２段の蛇腹状（２Ｂ）の外径（ｄ２）より大きく、ＰＥＴ樹脂ボトル本体（１）の第３段の蛇腹状（２Ｃ）、即ち外径（ｄ３）となるように側面からみて階段状となっているが、勿論これは上記のように３段とすることに限らず適宜の複数段でもよいが図の実施例では３段とした。
【００３５】
また以下の第５段乃至第１２段の蛇腹状（２Ｅ〜２Ｌ）の外径は第４段の蛇腹状（２Ｄ）の外径（ｄ）と同じであり、それぞれの間の内径もまた上記第３段の蛇腹状（２Ｃ）と第４段の蛇腹状（２Ｄ）との間のそれと同一である。
【００３６】
より具体的に本発明ではこれら襞の断面形状を特に肉厚が重要な構成のポイントとなっておりそれは図１０で示している。
【００３７】
即ち上記蛇腹状（２）を構成する谷部（Ｐ）の肉厚が、同山部（Ｑ）の肉厚との比較に於て、厚く造型されていることであり、具体的な例としては谷部（Ｐ）の肉厚（Ｓ）は、０.４９ｍｍであり、山部（Ｐ）の肉厚（Ｒ）は０.２７ｍｍ，この谷部（Ｐ）と山部（Ｑ）との略中間部の厚さ（Ｔ）は０.３９ｍｍとした。
【００３８】
さらに図４にみられるように、上記第１段乃至３段の襞（２Ａ〜２Ｃ）の寸法の例であるが、上記巾広のそろばん球形状の上面（ｍ）の形状は、外方向に突出したこの実施例では２０ｍｍＲの湾状となっており、これに対して下面（ｎ）は０.８ｍｍＲの山部（Ｑ）を介して直線状となっていることも重要なポイントである。
【００３９】
本実施例のこの構成をその作用と併せて説明すると、概略図２及び図３での状態のＰＥＴ樹脂ボトル本体（１）は、中央部及び下部を含む胴部（Ａ）と上方の肩部（Ｃ）に２分され、それぞれの部位（Ａ）（Ｃ）は、それぞれの比較に於いて、その径が大径と小径の２つの径からなっていることから、安定した垂直状態を保っている。
【００４０】
即ち上記中央部と下部を含む胴部（Ａ）は内外径が同一の襞で形成され、肩部（Ｃ）は外観的に飲み口部（３）方向が緩傾斜の凸状に湾曲され、特にこの肩部（Ｃ）は中央部から飲み口部（３）までの間で、襞を形成する谷部（Ｐ）の内径を徐々に減少させると共に、その傾斜角度も胴部（Ａ）より差を大きくしたから、この中央部が伸張している状態にあっては襞を形成する山部（Ｑ），谷部（Ｐ）の内径及び傾斜面は材料の持つ強度と弾性で伸長・伸展状態を保つことができるのである。
【００４１】
なお底部（Ｂ）を急傾斜の凹状とすることで、所謂「すわり」がよくなること当然である。
【００４２】
今上記の本発明の一実施例としてボトル本体（１）の組成がテレフタル酸ジメチル又はテレフタル酸とエチレングリコールを反応させて得られるポリエステルを用いたものであり、これらの物性は、その強靭であり乍ら展性に富んでいることである。
【００４３】
その基本物性は表１の通りであるが、ここで特に注目すべき機械的性質は「引張伸び」度であり２５０〜４００％である。これは他の透明樹脂のＡＳ樹脂３％、メタクリル樹脂６％、ポリカーボネート１００〜１５０％、ＴＰＸ４０％と比較しはるかに大きい。結果本発明に最も適した樹脂はＰＥＴ樹脂である所以である。
【００４４】
さて、ＰＥＴ樹脂ボトル本体（１）の成型が完了して、これを充填工場に搬送する時あるいは内容物を飲み干しＰＥＴ樹脂ボトル本体（１）を図７のように両手（Ｇ）（Ｈ）の平（ひら）間に垂直に置き、ＰＥＴ樹脂ボトル本体（１）の中間方向に両手（Ｇ）（Ｈ）で押圧すると、図８のようにＰＥＴ樹脂ボトル本体（１）は押し潰されたような状態の胴部（Ａ）となる。
【００４５】
この時点で襞の山部（Ｑ）の頂点からみた状態では、両側の谷部（Ｐ）がこの山部（Ｑ）の頂点側に押し寄せられたことに相当しこの際、襞の上面（ｍ）は下面（ｎ）に対して緩傾斜側の圧縮分力は傾斜が少ない為に、下面（ｎ）の急傾斜側の圧縮分力より大きいことから、急傾斜側の谷部（Ｐ）が山部（Ｑ）の頂点側に移動したことになる。
【００４６】
この時ＰＥＴ樹脂ボトル本体（１）には２つの大きな変化が生じている。
【００４７】
即ちその第１は、上記襞を構成する山部（Ｑ）の内径が拡大圧力で増加、あるいは谷部（Ｐ）の内径が圧縮圧力で減少すること、その第２は、襞を構成する下面（ｎ）の急傾斜面が屈曲することである。
【００４８】
続いてこの急傾斜側が山部（Ｑ）直下を通過して、さらに図でみられるように上面（ｍ）の緩傾斜側の内側に潜り込んで、ＰＥＴ樹脂ボトル本体（１）の高さを短縮状態まで移動させると、山部（Ｑ）の内径及び谷部（Ｐ）の内径が復元する力が働き、または下面（ｎ）が上記の操作で屈曲状態となっていたものを伸展状態に復元して安心した状態となる。
【００４９】
従って常に圧縮力を加えておかなくとも、この短縮状態を保つようになることができたのである。
【００５０】
そして内径の小さい谷部（Ｐ）は圧縮圧力を受けて、さらに内径が小さくなり、圧力応力が発生している。
【００５１】
圧縮圧力が無くなると応力が開放されるように作用し、伸長状態に復元する。
【００５２】
そして圧力状態でキャップ（１２）を締め、大気圧を作用させるとＰＥＴ樹脂ボトル本体（１）は短縮状態を保持し、谷部（Ｐ）の内径の差によって圧縮応力が発生しない場合には短縮状態を保持することとなるのである。
【００５３】
この結果ＰＥＴ樹脂ボトル本体（１）は度重なる実験では、その高さ（容積）が１／３乃至１／４以下となり、このＰＥＴ樹脂ボトル本体を成型工場から充填工場に運ぶときはその容量を小さく、その飲み量に応じて縮められ、かつ破棄するときはその容量を０に近い状態に縮めるなどの度々の伸縮作用や湾曲折り曲げ作用に耐えられる構造となっているのである。
【００５４】
それは上記本発明ＰＥＴ樹脂ボトル本体（１）を構成する襞の上面（ｍ）に力が加わるとまずその力はその肉厚が薄い山部（Ｑ）が押れ、次いで上面（ｍ）と下面（ｎ）が重なり合う方向に移動するもその力は徐々に肉厚の厚い谷部（Ｐ）方向に移行し緩和され、その所在によってＰＥＴ樹脂ボトル本体（１）の上記の伸縮作用はスムーズに行われかつ、毎重なる伸縮や折り曲げの衝撃があってもこれに十分対処できる。
【００５５】
なお本発明のこの実施例では、この状態になった後も更に飲み口部（３）を、ＰＥＴ樹脂ボトル本体（１）の底部（B）方向に押圧する。
【００５６】
このときＰＥＴ樹脂ボトル本体（１）の胴部（A）及び肩部（C）はそれぞれの襞が密着して折り重なっているため、これ以上押し上げても下降しない。
【００５７】
ここでさらに飲み口部（３）を下方に押圧すると、先ず喇叭状の連絡部（５）の末端辺が、U字形状の溝（６）の内側を下方に押圧する。
【００５８】
この結果かかる溝（６）はその外側上端の辺と、肩部（C）とが連結され固着された状態となっているから、そのU字形状が崩れ内側が下方に押された状態で、喇叭状連絡部（５）の末端部を下方に押圧しつつ拡大する方向に進み、ついには図７に示すようにＰＥＴ樹脂ボトル本体（１）内に飲み口部（３）と共に押し込まれる状態となるのである。
【００５９】
これを図で説明すると、ＰＥＴ樹脂ボトル本体（１）の襞は巾広のアダムスキー型のＵＦＯのような形状をしており、従って水平方向の上下に２分されていること上述の通りである。
【００６０】
即ち図において（ｍ）は巾広のアダムスキー型のＵＦＯ形状の内面も含む上面であり、（ｎ）は巾広のアダムスキー型のＵＦＯ形状の内面も含む下面であるが、上面（ｍ）の形状は外方向に突出したこの実施例では２０ｍｍＲの湾状となっており、これに対して下面（ｎ）の形状は０.８ｍｍＲの山部（Ｑ）を介して直線状となっていることが重要なポイントである。
【００６１】
そして内径の小さな谷部（Ｐ）は圧縮圧力を受けて圧力応力が発生している。この圧縮圧力が無くなると応力が開放されるように作用し、ジュースのような内容物が充填されると伸長状態に復元する。
【００６２】
そしてこの圧力状態で図示しないキャップ（１２）を締め、大気圧を作用させるとＰＥＴ樹脂ボトル本体（１）は短縮状態を保持し、谷部（Ｐ）の内径の差によって圧縮応力が発生しない場合には短縮状態を保持することとなるのである。
【００６３】
この実施例は前記のようにＰＥＴ樹脂ボトル本体（１）の肩部（Ｃ）の襞の径が下方に向うに従い大径とした場合で、その結果押し潰された各襞はその外周辺が内周辺に対して上方となる傾斜上に重ね合わせられる。
【００６４】
その後飲み口部（３）の上面部ａｎｄ／ｏｒ肩部の割球状（４）を押圧すると、その押し下げる力は各襞の外周辺にも押し下げる力が働き、その結果中央部及び下部を含む胴部（Ａ）の襞は、その外周辺が内周辺に対して下方となる上記肩部（Ｃ）とは逆方向の傾斜状に重ね合わせられる。
【００６５】
而してこの押し潰されたＰＥＴ樹脂ボトル本体（１）にあって肩部（Ｃ）の襞の上方の傾斜部を形成する割球状（４）と、胴部（Ａ）の襞の下方の傾斜部が所謂「つりあって」ＰＥＴ樹脂ボトル本体（１）はキャップ（１２）を再び被冠させなくとも潰された状態を保つことができるようになる所以である。
【００６６】
この結果蛇腹状ＰＥＴ樹脂ボトル本体（１）は、度重なる実験ではその高さ（容積）が１／５乃至１／８以下となり、これをゴミ箱などに放棄してもそのスペースを格段に少なくすることができたのである。
【００６７】
なお、上記に加え本発明の他の実施例では飲み口部（３）を押圧することで、該飲み口部（３）をＰＥＴ樹脂ボトル本体（１）内に埋入させ、同時にＰＥＴ樹脂ボトル本体（１）の底部（Ｂ）周辺も、上記ＰＥＴ樹脂ボトル本体（１）の肩部（Ｃ）を反転させたのと同等の作用で、ＰＥＴ樹脂ボトル本体（１）内に埋入させたから、結果空のＰＥＴ樹脂ボトル本体（１）をそのまま捨てる部分に比べその容積（高さ）を１／１０程度にコンパクト化することができたのである。
【００６８】
すなわち本発明の容器はその形状と材質から飲み干されて空となった部分を比較的弱い子供や女性の場合にも縮めることが可能である。
【００６９】
以上述べた蛇腹状ＰＥＴ樹脂ボトル本体（１）の主な効果は、ＰＥＴ樹脂からなるためにボトル本体を破棄する時、その容積を頗る小さくすることが出来るようにしたことであり、ゴミ箱などに収容できる個数を頗る増大させたことである。
【００７０】
またかかる縮小させた蛇腹状ＰＥＴ樹脂ボトル本体は、その搬送量を同時に多量に成しできるから、その回収費や清掃回収の為の人件費を、頗る軽減できたことである。
【表１】
2006051718.tif 000003
【図面の簡単な説明】
【００７１】
【図１】蛇腹状ボトルブロー成形の概略図
【図２】ブロー成形後の蛇腹状ボトルを圧縮する過程
【図３】圧縮成形機により圧縮された蛇腹状ボトル
【図４】圧縮された状態の蛇腹状ボトルの断面説明図
【図５】一本件装置方法で造られたＰＥＴ樹脂ボトル本体全体の正面図
【図６】潰された状態の容器全体の正面説明図
【図７】押し潰している段階のＰＥＴ樹脂ボトル本体の説明図
【図８】さらに潰された状態の容器全体の正面説明図
【図９】完全に潰し終えたＰＥＴ樹脂ボトル本体の一部切欠断面説明図
【図１０】蛇腹状襞の拡大断面説明図
【図１１】プリフォームの断面説明図厚
【符号の説明】
【００７２】
ａ  プリフォーム
ｂ  蛇腹形状金型
ｃ  圧縮成形機
Ａ  中央部及び下部を含む胴部
Ｃ  肩部
Ｇ  両手
Ｈ  両手
Ｐ  谷部
Ｑ  山部
Ｒ  山部（Ｑ）の肉厚
Ｓ  谷部（Ｐ）の肉厚
Ｔ  谷部（Ｐ）と山部（Ｑ）との略中間部の厚さ
Ｖ  プリフォーム（ａ）の厚さ
ｄ  第４段の蛇腹状の外径（ＰＥＴ樹脂ボトル本体（１）の外径）
ｄ１  最上段の外径（第１段の蛇腹状の外径）
ｄ２  第２段の蛇腹状の外径
ｄ３  第３段の蛇腹状の外径
ｈ１  第１段の襞の上
ｈ２  第１段の襞の下
１  ＰＥＴ樹脂ボトル本体
２  蛇腹状
３  飲み口部
４  割球状
５  喇叭状連結部
６  環状溝
２Ａ  第１段の蛇腹状
２Ｂ  第２段の蛇腹状
２Ｃ  第３段の蛇腹状
２Ｄ  第４段の蛇腹状
ｍ  そろばん球形状の上面
ｎ  そろばん球形状の下面
【図１】
2006051718.tif 000004
【図２】
2006051718.tif 000005
【図３】
2006051718.tif 000006
【図４】
2006051718.tif 000007
【図５】
2006051718.tif 000008
【図６】
2006051718.tif 000009
【図７】
2006051718.tif 000010
【図８】
2006051718.tif 000011
【図９】
2006051718.tif 000012
【図１０】
2006051718.tif 000013
【図１１】
2006051718.tif 000014